【手続補正書】
【提出日】平成16年4月27日(2004.4.27)
【手続補正１】
【補正対象書類名】明細書
【補正対象項目名】特許請求の範囲
【補正方法】変更
【補正の内容】
【特許請求の範囲】
【請求項１】
映像信号及び／又は音声信号とされる第１のコンテンツを作成する第１の作成手段と、
上記第１のコンテンツに対応するものとされ、グラフィカルユーザインターフェイスを出力させるためのスクリプトを有して形成され、上記スクリプトとして、ユーザによる上記第１のコンテンツに関連した受信装置の利用結果に応じて、所定内容の利用履歴情報を生成する処理と、この利用履歴情報に基づいて、ユーザインターフェイス画像に対する操作を伴って提供されるべきサービスが変化するように、上記グラフィカルユーザインターフェイスを変更する処理とを、受信装置に実行させる記述を含む、第２のコンテンツを作成する第２の作成手段と、
上記第１の作成手段により作成された第１のコンテンツと共に、上記第２の作成手段により作成された第２のコンテンツを放送として送信出力する送出手段と、
を備えることを特徴とする送信装置。
【請求項２】
上記第１のコンテンツは圧縮符号化されて送信されることを特徴とする請求項１に記載の送信装置。
【請求項３】
上記第２のコンテンツはデータ放送として送信されることを特徴とする請求項１に記載の送信装置。
【請求項４】
放送として送信される映像信号及び／又は音声信号による第１のコンテンツと、上記第１のコンテンツに対応するものとされ、グラフィカルユーザインターフェイスを出力させるためのスクリプトを有して形成され、上記スクリプトとして、ユーザによる上記第１のコンテンツに関連した受信装置の利用結果に応じて、所定内容の利用履歴情報を生成する処理と、この利用履歴情報に基づいて、ユーザインターフェイス画像に対する操作を伴って提供されるべきサービスが変化するように、上記グラフィカルユーザインターフェイスを変更する処理とを、受信装置に実行させる記述を含む、第２のコンテンツとを受信することのできる受信手段と、
上記受信手段により受信した第２のコンテンツのスクリプトに従って、上記第１のコンテンツとしての映像と共に出力すべき上記グラフィカルユーザインターフェイスを形成するものとされ、上記スクリプトの記述に従って、ユーザによる受信装置の利用結果に応じて上記利用履歴情報を作成して記憶保持し、この利用履歴情報に基づいて、ユーザインターフェイス画像に対する操作を伴って提供されるべきサービスが変化するように、上記グラフィカルユーザインターフェイスを変更する処理を実行することのできるユーザインターフェイス形成手段と、
を備えていることを特徴とする受信装置。
【請求項５】
上記第１のコンテンツは圧縮符号化されて送信されてくることを特徴とする請求項４に記載の受信装置。
【請求項６】
上記第２のコンテンツはデータ放送として送信されてくることを特徴とする請求項４に記載の受信装置。
【請求項７】
上記ユーザインターフェイス画像に対してユーザは各種操作を行うことができる、
ことを特徴とする請求項４に記載の受信装置。
【請求項８】
上記第１のコンテンツを利用しながら気に入ったものについてマーク操作を行い、当該マーク操作に応じて上記グラフィカルユーザインターフェイスが変化する、
ことを特徴とする請求項４に記載の受信装置。
【請求項９】
上記第１のコンテンツの視聴状況の履歴に基づき、上記グラフィカルユーザインターフェイスが変化する、
ことを特徴とする請求項４に記載の受信装置。
【手続補正２】
【補正対象書類名】明細書
【補正対象項目名】００１１
【補正方法】変更
【補正の内容】
【００１１】
そして、このようなコンテンツの作成のために、例えば、特定のレコード会社１０９、商品販売会社１０７、及びコンサートチケット販売会社１０８と提携しているものとされる。なお、レコード会社１０９、商品販売会社１０７、及びコンサートチケット販売会社１０８など、提携する各社は、それぞれ複数が存在してもよいものである。
【手続補正３】
【補正対象書類名】明細書
【補正対象項目名】００１５
【補正方法】変更
【補正の内容】
【００１５】
このようにして、地上局１０１から送出された信号は衛星１０２を介して各家庭の受信設備１０３で受信される。
各家庭の受信設備１０３としては、パラボラアンテナ１４とデジタル衛星放送受信機１と、モニタ装置２０とが用意される。
また、この場合には、デジタル衛星放送受信機１に対して操作を行うためのリモートコントローラ１３が示されている。
【手続補正４】
【補正対象書類名】明細書
【補正対象項目名】００１６
【補正方法】変更
【補正の内容】
【００１６】
衛星１０２を介して放送されてきた信号は、パラボラアンテナ１４により受信される。この受信信号がパラボラアンテナ１４に取り付けられたＬＮＢ(Low Noize Block Down Converter)で所定の周波数に変換され、デジタル衛星放送受信機１に供給される。
【手続補正５】
【補正対象書類名】明細書
【補正対象項目名】００１８
【補正方法】変更
【補正の内容】
【００１８】
デジタル衛星放送受信機１は、例えば電話回線１０４を介して課金サーバ１０５と通信可能とされている。デジタル衛星放送受信機１には、例えば楽曲のオーディオデータのダウンロードが行われたとすると、これに関する履歴情報がデジタル衛星放送受信機１側で記憶される。この記憶情報は、電話回線１０４を介して所定の機会、タイミングで課金サーバ１０５に送られる。課金サーバ１０５は、この送られてきた履歴情報に従って金額を設定して課金を行い、ユーザに請求する。
また、電話回線１０４を介しては、所定のサービスサーバ１１０とも接続される。これにより、例えばデジタル衛星放送受信機１側で表示出力させているＧＵＩ画面に対する操作などに応じてサービスサーバ１１０と接続し、このサービスサーバ１１０が提供するサービスを享受することができる。なお、サービスサーバとしても、必要に応じて複数と接続されるようにすればよい。
【手続補正６】
【補正対象書類名】明細書
【補正対象項目名】００３１
【補正方法】変更
【補正の内容】
【００３１】
また、データ放送が、本実施の形態としてのＧＵＩコンテンツのようにして、ＢＭＬコンテンツである場合には、このＢＭＬコンテンツを次のようにして再生出力する。
本実施の形態のシステムコントローラ９は、ＲＯＭ１１に格納されるプログラムにより、図示するようにして、ＢＭＬデコーダ９ａとしての機能を備える。そして、データ放送データ生成部７にて生成されたデータ放送用データがＢＭＬコンテンツであった場合には、システムコントローラ９がメモリ８から、このＢＭＬコンテンツとして記述されているスクリプトの読み込みを行い、ＢＭＬデコーダ９ａによりスクリプトの記述内容を解釈する。そして、スクリプトとしての記述に従って、例えばビデオ／オーディオ信号処理部６をコントロールすることができる。
ビデオ／オーディオ信号処理部６では、システムコントローラ９に依るコントロールに従って、例えばメモリ８にＢＭＬコンテンツとして保持されているテキスト（文書）やボタンなどのエンティティ（オブジェクト）を使用して、ＧＵＩ画像を作成する。そして、このＧＵＩ画像をビデオ信号として出力するようにされる。
【手続補正７】
【補正対象書類名】明細書
【補正対象項目名】００３４
【補正方法】変更
【補正の内容】
【００３４】
３．コンテンツ画像表示及び操作例
上記図３に示した構成のデジタル衛星放送受信機１では、先に図１に示したコンテンツ作成システム１０６により作成されたプロモーションビデオの映像／音声コンテンツ及びＧＵＩコンテンツから成る番組（以降、ＰＶ(Promotion Video)コンテンツともいう）を受信した場合には、このコンテンツとしての画像及び音声を出力させることになる。
そして、先も述べたように、本実施の形態のＰＶコンテンツは、プロモーションビデオとしての映像／音声コンテンツを、ＧＵＩ画像に組み込むようにして表示される。そして、ユーザは、このＧＵＩ画像に対して各種の操作を行うことができるようになっている。
そこで、続いては、この本実施の形態としてのＰＶコンテンツのＧＵＩ画像の表示態様例と、このＧＵＩ画像に対する操作例について説明を行っていくこととする。
【手続補正８】
【補正対象書類名】明細書
【補正対象項目名】００６０
【補正方法】変更
【補正の内容】
【００６０】
そして、先にも述べたように、図８の商品選択画面３００における「次へ」ボタン３１０を操作した場合には、図９に示すユーザ選択画面３５０が表示される。
この図９に示すユーザ選択画面３５０においては、ウィンドウ内にユーザボタン３５１が表示される。このユーザボタン３５１は、既に個人情報が登録されているユーザについての氏名が表示されている。このユーザボタン３５１を操作することによりショッピングなどのサービスを利用するユーザを選択するようにされる。
【手続補正９】
【補正対象書類名】明細書
【補正対象項目名】０１０５
【補正方法】変更
【補正の内容】
【０１０５】
ステップＳ４０２の処理においては、上記ステップＳ４０１の処理に対応して表示開始されたプロモーションビデオ（楽曲）が、終了したか否かについての判別を行っている。
そして、プロモーションビデオ（楽曲）が終了していない場合には、ステップＳ４０３において、他の画面に移行したか否かが判別される。ここでの他の画面とは、例えば他のチャンネルへの切り換えが行われた場合が含まれる。また、同一チャンネルであっても、他の所定のＧＵＩ画面などに移行したことなどにより、例えばプロモーションビデオを通しで見たとは扱われなくなった場合も含まれる。
ステップＳ４０２において肯定結果が得られた場合には、この図に示す処理は終了して他の所要の処理ルーチンに移行する。これに対して、他の画面への切り換えがない場合には、ステップＳ４０２の処理に戻るようにされる。
【手続補正１０】
【補正対象書類名】明細書
【補正対象項目名】０１０６
【補正方法】変更
【補正の内容】
【０１０６】
従って、ステップＳ４０２では、途中で他の画面に移行することなく、現在放送中のプロモーションビデオが最初から最後まで表示出力されていたとされる場合に肯定結果が得られることになる。このようにして肯定結果が得られるとステップＳ４０４に進む。ここで肯定結果が得られたということは、ユーザが現在放送中のプロモーションビデオを通しで視聴したということに相当する。
【手続補正１１】
【補正対象書類名】図面
【補正対象項目名】図３
【補正方法】変更
【補正の内容】
【図３】
2004032110.tif 000001